(57)【要約】【課題】  スタンド型や壁掛け型として室内に自由に設置できる液晶型テレビにおいて、多数の入出力端子類を配置した前記液晶型テレビの背面筐体に多数のコード類の接続を可能とし、コード類に損傷を与えることなく簡単に結束が出来ると共に、前記コード類の結束部などを着脱可能なカバー部材で覆うことにより意匠、美観にも優れたコード結束用フックを備えた液晶型テレビを提供することを目的とする。【解決手段】  前記液晶型テレビ１の筐体４の底辺側をスタンド３で支持することにより、背面筐体５の下側に多数の入出力端子類７と電源コード等のコード類８の配置を可能とする横長な段差凹部１１を確保し、該段差凹部１１の段差面１２にコード結束用フック２１を形成して前記多数のコード類８を簡単に束ねて下向きに引き出すことを可能とする共に、前記段差凹部１１を覆い隠すカバー部材６を着脱容易に設けた。【選択図】      図１
2006066736.tif 000002
【特許請求の範囲】
【請求項１】
筐体の前面に配置した液晶表示部と、前記筐体の底面において着脱可能なスタンドと、前記筐体の背面に設けた樹脂製の背面筐体とを備えた液晶型テレビにおいて、前記背面筐体の下側には複数の入出力端子類および／又は電源コードなどの導出部を下向きに配置した横長の段差凹部を設け、前記段差凹部の段差面から後方側に突き出して一体形成されたコード結束用フックを複数箇所に配置したことを特徴とするコード結束用フックを備えた液晶型テレビ。
【請求項２】
前記コード結束用フックは逆Ｌ字型の突起２個を向かい合わせて略門型に配置したことを特徴とする請求項１記載のコード結束用フックを備えた液晶型テレビ。
【請求項３】
前記段差凹部には、前記複数の入出力端子類および／又は電源コードなどの導出部と、前記コード結束用フックとを覆う着脱可能なカバー部材を設けたことを特徴とする請求項１または２記載のコード結束用フックを備えた液晶型テレビ。
【発明の詳細な説明】
【技術分野】
【０００１】
本発明は、スタンド型や壁掛け型として室内に自由に設置できる液晶型テレビにおいて、複数種の外部家電機器などと入出力するために多数の入出力端子類を配置した前記テレビの背面筐体に前記多数のコード類を接続しても、接続したコード類に損傷を与えることもなく簡単に結束可能とし、前記端子類と接続したコード類の結束部などを着脱可能なカバー部材で覆うことにより意匠、美観にも優れたコード結束用フックを備えた液晶型テレビに関する。
【背景技術】
【０００２】
従来より電子機器から引き出されるコード類を狭持して収納する方法としては、パーソナルコンピュータの表示に用いられる液晶型モニターなどに図６のような構成で利用されている。筐体４４背面の中央に前記筐体４４を支えるスタンド４３の回動支持部４１があり、ここを避けた前記筐体背面４４Ａに図示しない前記コンピュータ本体と接続する信号コード４５と電源コード４８の２本を引き出して狭持しながら収納する凹部４２が設けられ、該凹部４２にはコード狭持壁４７が前記凹部４２から突き出して形成されていると共に、前記コード狭持壁４７にはコード類４５，４８の太さに対応した切欠きによるコード狭持溝４７Ａが２箇所設けられていて前記２本のコード類４５，４８を嵌挿して狭持する。更に、前記凹部４２には前記筐体背面４４Ａへの係合手段を備えたカバー部材４６が取り付けられる構成となっている。このカバー部材４６の裏面には前記凹部４２に設けられたコード狭持溝４７Ａと対向する位置に前記コード類４５，４８がコード狭持溝４７Ａから外れることを防止する突起４６Ａが形成されている。
【０００３】
また、別な電子機器については、例えば次のような従来技術が提案されている。特許文献１には、図７に示すように、電源コード４８が接続された電子機器５０側面に電源コード４８を収納するために設けたスペース５１と、該スペース５１を開閉するために該機器５０に対して着脱可能に支持されるカバー部材４６と該カバー部材４６の裏面に形成された逆Ｌ字型の突起の突き出し部を互いに背を向けて２個配置したコード巻きつけ用部材５３とを備えた電子機器５０において、カバー部材４６の周縁に沿って電源コード４８の引き出し用の切欠き５４を複数配置して電源コード４８の長さの余剰分をコード巻きつけ用部材５３に巻きつけて収納する方法が提案されている。
【０００４】
【特許文献１】特開２００２−４３７６６号公報
【発明の開示】
【発明が解決しようとする課題】
【０００５】
前記パーソナルコンピュータの表示に用いられる液晶型モニターの従来技術によれば、前記筐体４４の背面側中央に筐体４４を支えるスタンド４３の回動支持部４１があり、該回動支持部４１を避けた前記筐体背面４４Ａに信号コード４５と電源コード４８の２本を引き出して狭持する凹部４２が設けられているので前記筐体背面４４Ａの空きスペースは狭く、多数のコード類４５，４８を束ねようと前記と同様な凹部４２を筐体背面４４Ａに追加して配置するには中央に配置されたスタンド回動支持部４１を間に挟む図６では左側の筐体背面４４Ａに１箇所にしか配置することが出来ず、実質２本であったコード類４５，４８の狭持本数は４本にしか増やすことが出来ないと共に、前記カバー部材４６も１枚追加することが必要となる。これにより、前記カバー部材４６の取り付け作業も増えてしまう。また前記凹部４２に設けられたコード狭持壁４７にはコード狭持溝４７Ａの切欠きが２箇所設けられていて前記２本のコード類４５，４８を嵌挿して狭持することが出来るが、同一スペースに２本以上を狭持することは困難といわざるを得ない。反面、前記凹部４２に設けられた狭持壁４７にはコード類の太さに対応した狭持溝４７Ａの切欠きが設けられており、コード類４５，４８を嵌挿して狭持する位置を間違えたとしても目視で容易に誤りに気がつくことが出来る。また前記カバー部材４６により前記コード類４５，４８の狭持部はほぼ密封状態となり防塵に対しては優位な構造と言える。しかし、仮に前述のような凹部４２を形成する空きスペースの問題が無かったとして、たとえば１０本以上を同様な狭持手段によって形成する場合、個々に太さが異なる１０本以上のコード類４５，４８に対応した切欠きを用意すると、狭持溝４７Ａ毎にコード類の割付を行わねばならず作業は煩雑であると言わざるを得ない。また、狭持溝４７Ａとカバー部材４６側の突起４６Ａによってコード類４５，４８を挟み込む構造であり、コード類４５，４８が捩れるとカバー部材４６の縁でコード類４５，４８を挟むなどによりコード類４５，４８が潰れ、傷や断線といったコード類４５，４８への負担が増すこととなる。
【０００６】
また、前記特許文献１のコード巻きつけ用部材５３は、電子機器５０に着脱可能に支持されるカバー部材４６の裏面に形成された逆Ｌ字型の突起５３の突き出し部を互いに背を向けて２個配置した形状であり、前記カバー部材４６の裏面と前記逆Ｌ字型突起５３の突き出し部とがコード４８を巻きつけるときの鍔部を形成しており、巻きつけるコード４８の本数を問わず巻き付け易さに優れているが、多数本のコード４８を巻きつけて収納した場合、前記多数のコード４８は互いに折り重なって巻かれるため、巻きつけた後で特定のコード４８を指定して巻き戻し、所望する長さに変更することが非常に難しいコード巻きつけ構造であり複数のコード４８を狭持する用途には不適といえる。
【０００７】
本発明は、液晶型テレビなどの電子機器において外部の家電機器などと接続するために約２０本と多数のコード類に損傷を与えることもなく簡単、確実に結束することが可能なコード結束用フックを実現すると共に、特に液晶型テレビにおいて多数のコード類と接続する入出力端子類と電源コードの配置を下向きに統一して前記接続されるコード類の向きを下向きとすることにより接続して引き出されるコード類に無理な力がかからず、更に前記端子類を配置して接続し、前記コード結束用フックにより束ねられたコード類の引き出し部分を覆う着脱可能なカバー部材を設けることにより意匠、美観にも優れた液晶型テレビを提供することを目的とする。
【課題を解決するための手段】
【０００８】
請求項１に係るコード結束用フックを備えた液晶型テレビにおいて、筐体の前面に配置した液晶表示部と、前記筐体の底面において着脱可能なスタンドと、前記筐体の背面に設けた樹脂製の背面筐体とを備えた液晶型テレビにおいて、前記背面筐体の下側には複数の入出力端子類および／又は電源コードなどの導出部を下向きに配置した横長の段差凹部を設け、前記段差凹部の段差面から後方側に突き出して一体形成されたコード結束用フックを複数箇所に配置したことを特徴とする。
【０００９】
請求項１の構成によれば、このコード結束用フックを備えた液晶型テレビは、筐体を支持するスタンドが前記筐体の底面側に設けた支持部で連結されることにより、前記背面筐体の下側には複数の入出力端子類と電源コードなどの導出部を下向きに配置した横長の段差凹部を設けることが出来るので、背面筐体の下側に十分なスペースが確保でき、多数のコード類を引き出すことが可能となる。従って従来のパーソナルコンピュータの表示に用いられる液晶型モニターのように、前記筐体の背面側中央に筐体を支えるスタンドの回動支持部がある場合、該回動支持部を避けた限られたスペースに前記筐体背面にコード類を引き出して狭持する凹部を設けるしかなく、又前記凹部は２箇所にしか設置できず、前記凹部の１箇所から引き出せるコード類の数も２本であり、２箇所に増やしても合計で４本しか引き出せないといった制約は大幅に緩和される。また、段差面から後方側に突き出して一体形成されたコード結束用フックを複数箇所に配置したことにより、前記多数のコード類を複数箇所に設けたコード結束用フックで各々分割しながら狭持して前記背面筐体の下側に向けて引き出すことが出来る。さらに、前記コード結束用フックは前記樹脂製の背面筐体の段差面から後方側に突き出して一体に形成されており、前記フックにより結束されたコードに傷が付くとか断線するといった恐れは無い。
【００１０】
本発明の請求項２のコード結束用フックを備えた液晶型テレビは、請求項１記載のコード結束用フックを備えた液晶型テレビにおいて、前記コード結束用フックは逆Ｌ字型の突起２個を向かい合わせて略門型に配置したことを特徴とする。
【００１１】
請求項２の構成によれば、前記２個の逆Ｌ字型の突起を向かい合わせた略門型であり、前記２個の逆Ｌ字型突起の隙間にコード類を収納して結束するコード類の引っ掛け構造を成しており、複数のコード類を複数箇所のコード結束用フックに簡単に引っ掛けて狭持することが出来ると共に、コード類の取り外し操作も簡単に行うことが出来る。
【００１２】
本発明の請求項３のコード結束用フックを備えた液晶型テレビは、請求項１又は２記載のコード結束用フックを備えた液晶型テレビにおいて、前記段差凹部には、前記複数の入出力端子類と電源コードなどの導出部と、前記コード結束用フックとを覆う着脱可能なカバー部材を設けたことを特徴とする。
【００１３】
請求項３の構成によれば、前記段差凹部には、前記複数の入出力端子類と電源コードなどの導出部と、前記略門型に配置した２箇所のコード結束用フックとを覆う着脱可能なカバー部材を設けたことにより、前記入出力端子類とコード類の接続箇所や前記コード結束用フックをカバー部材で覆い隠すことが出来る。また、前記背面筐体の下側には横長の段差凹部が設けられており、前記カバー部材と段差凹部との間に前記コード類を引き出すための大きな隙間を設けることが出来る。
【発明の効果】
【００１４】
請求項１に係るコード結束用フックを備えた液晶型テレビの発明によれば、前記筐体の底面側にスタンドの着脱部を設けたことにより、前記背面筐体の下側には複数の入出力端子類と電源コードなどの導出部を下向きに配置した横長の段差凹部を設けることが出来るので、背面筐体の下側に十分なスペースが確保され前記多数のコード類を引き出して狭持することが出来ると共に、前記液晶型テレビの厚さを厚くする必要も無く、該液晶型テレビは薄型化を実現することが出来る。また、前記段差凹部の段差面から後方側に突き出して一体形成されたコード結束用フックを複数箇所に配置したことにより、多数のコード類を複数箇所に設けたコード結束用フックで各々分散しながら狭持し、前記背面筐体の下側に向けて引き出すことが出来るので多数のコード類を整理して引き出すことが出来る。さらに、前記コード結束用フックは背面筐体と一体に形成されており、部品点数が増えてしまうことはない。
【００１５】
請求項２に係るコード結束用フックを備えた液晶型テレビの発明によれば、前記２個の逆Ｌ字型の突起を向かい合わせた略門型であり、前記２個の逆Ｌ字型突起の隙間にコード類を収納して結束するコード類の引っ掛け構造を成しており、多数のコード類を簡単確実に引っ掛けて狭持することが出来ると共に、コード類の取り外し操作も簡単に行うことが出来るので、スタンドを外して壁掛け型に変更してもコードの結束機能が損なわれることはない。
【００１６】
請求項３に係るコード結束用フックを備えた液晶型テレビの発明によれば、前記入出力端子類とコード類の接続箇所や前記コード結束用フックをカバー部材で覆い隠すことが出来るので、意匠、美観に優れた液晶型テレビを実現することが出来る。また、前記カバー部材と段差凹部との間に大きな隙間を設けることが出来るので、１箇所のフックで複数のコード類を束ねて引き出すことが出来ると共に、複数個のフックを設けることにより多数のコード類を束ねて引き出すことが出来る。また、従来例のようにスタンドの回動支持部でコード類の狭持部の配置スペースが２箇所に分割されることも無く、前記横長な段差凹部を覆うカバー部材を１つで覆うことが出来る。
【発明を実施するための最良の形態】
【００１７】
以下、本発明を実施するための最良の形態としての実施例を図１〜図５により以下に説明する。もちろん、本発明は、その発明の趣旨に反さない範囲で、実施例において説明した以外のものに対しても容易に適用可能なことは説明を要するまでもない。
【００１８】
図２は本発明における液晶型テレビの正面斜視説明図であり、図３は前記液晶型テレビの背面説明図である。
【００１９】
図２の液晶型テレビ１には筐体４の前面に液晶表示部２が配置され、前記筐体４の底面側中央にスタンド３が連結されて前記筐体４を支持している。また、前記液晶型テレビ１の背面は図３に示す背面筐体５が配置され、該背面筐体５の下側に設けた図示しない段差凹部から複数のコード類８が図示しないコード結束用フックで狭持されて束ねられ、下向きに引き出されている。更に、前記コード類８が引き出された前記段差凹部をカバー部材６が覆っている。
【００２０】
続いて図１は本発明における一実施例を示すコード結束用フックに狭持されたコード類をカバー部材で覆う前の構成を示す斜視説明図である。
【００２１】
前記背面筐体５の下側に横長な段差凹部１１を設け、その下向き壁面１３に配置した３箇所の開口窓１４には入出力端子類７と電源コード８が合わせて約２０箇所配置され、それぞれにコード類８が接続されている。また、前記段差凹部１１から突き出した段差面１２には該段差面１２から後方側に突き出して一体に形成されたコード結束用フック２１を前記スタンド３の図示しない支持部近傍となる２箇所に配置しており、前記コード結束用フック２１により狭持されたコード類８がスタンド３支持部の近傍の２箇所に束ねられ、下側に引き出すことが出来るので、コード類８が乱雑となることを防止し美観を向上することが出来る。
【００２２】
図４は背面筐体５を液晶型テレビ１の後側下方向から見た斜視図であり、段差凹部１１が前記背面筐体５の下側に形成されている。該背面筐体５の下向き壁面１３には入出力端子類７や電源コード８などを配置するための開口窓１４が３箇所に形成されており、該開口窓１４の上縁にはカバー部材６を支持する鈎形係止部１７が形成されている。また、前記段差凹部１１の両横壁面１５，１６にはカバー部材６の両端側３０，３１に形成された係止爪部３２と係合する係合孔２５を形成している。更に、前記段差凹部１１の中央下端寄りには段差面１２が突き出して形成され、該段差面１２の中央には前記カバー部材６を係止するレバー形係止部２２が形成されると共にその両脇には２個の逆Ｌ字型の突起２０を向かい合わせて略門型に配置したコード結束用フック２１が２箇所に前記背面筐体５と一体に形成されている。
【００２３】
前記背面筐体５の構成により、前記下向き壁面１３に形成された３箇所の開口窓１４に配置された入出力端子類７と接続される約２０本のコード類８は前記２箇所に形成されたコード結束用フック２１に分散して嵌挿し、狭持することが出来る。また、前記段差凹部１１周辺に配置した鈎形係止部１７と係合孔２５、レバー形係止部２２の各々によりカバー部材６を簡単に取り付けて係止することが出来る。
【００２４】
次に、前記背面筐体の段差凹部を覆うカバー部材について図５を参照しながら以下に説明する。
【００２５】
図５に示すカバー部材６には、その上端縁に前記背面筐体５の段差凹部１１に形成された鈎形係止部１７と係合する係合壁３５と、前記カバー部材６の両端側３０，３１に形成した係止爪部３２と、前記カバー部材６の下端寄り中央に前記レバー形係止部２２と係合する係合孔２５とが設けられており、前記背面筐体５に簡単に取り付けて前記横長の段差凹部１１を覆うことが出来る。また、前記カバー部材６の下端側で前記２箇所に配置したコード結束用フック２１と対面する位置にコード引き出し用隙間３３を形成する段差を切欠いて設けてあり、前記コード結束用フック２１により狭持されて束ねられたコード類８を該コード引き出し用隙間３３から下方向に引き出すことが出来る。
【００２６】
以上のように本発明のコード結束用フック２１を備えた液晶型テレビ１によれば、筐体４を支持するスタンド３を筐体４の底辺側に設けたことにより前記液晶型テレビ１は薄型の形状を維持しながら背面筐体５の下側には横長な段差凹部１１を設けることが可能となり、前記段差凹部１１の下向き壁面１３から下側に向けて約２０本のコード類８を接続して引き出すことが可能となった。更に、前記約２０本のコード類を筐体４底辺側の中央に設けたスタンド３の支持部近傍で２箇所に設けたコード結束用フック２１に簡単に嵌挿して狭持することが出来ると共に、所定のコード類８を取り外すときも、束ねられたコード類８の中から所定のコードだけをコード結束用フック２１から簡単に取り外すことが出来る。また、前記コード結束用フック２１は背面筐体５と一体に形成された樹脂性でありコード類８の絶縁被覆を傷付ける恐れはない。更に、前記２箇所に分散して狭持されて引き出される前記コード類８は下向きに統一することが出来るので、前記薄型の液晶型テレビ１をスタンド型として使用するときはスタンド３の近傍の２箇所から下向きに約２０本のコード類８を整然と下向きに引き出すことが出来るので美観を向上させることが出来る。また、前記薄型な液晶型テレビ１のスタンド３を取り外して壁掛け型として視聴する際は、前記２箇所に束ねられて下向きにコード類８が引き出されるので、コード類８が乱雑になることを防止することができるので前記液晶型テレビ１の見栄えを向上させることが出来る。
【００２７】
また、前記段差凹部１１を着脱が容易な係止手段１７，２２，２５，３２により覆うことが出来るカバー部材６を設けたことにより、前記入出力端子類７と接続され、コード結束用フック２１により結束されて狭持され、引き出されるコード類８と入出力端子類７との接続部に塵や埃が堆積することを防止することが出来ると共に、カバー部材６により直接コード類が他と接触して電気的に短絡することやコード類８の被覆を破損することを未然に防止することが出来るので前記液晶型テレビ１をスタンド型として視聴する際は背後に他のものが近接した狭い場所にも設置することが出来ると共に、壁掛け型として使用する際も壁面に密着して設置することが出来るので、前記薄型な液晶型テレビ１は視聴者が設置場所の制約を受けることなく自由に任意な設置を行うことが出来る。
【００２８】
以上、本実施例を詳述したが、本発明は、前記実施例に限定されるものではなく、本発明の要旨の範囲内で種々の変形実施が可能である。例えば、コード結束用フック２１は複数のコード類８を嵌挿して狭持することが可能な状態であれば向かい合った２個の逆Ｌ字型突起２０の大きさは同じでなくてもよく、また、カバー部材６は前記コード類８を引き出して狭持する範囲を覆うことが可能であれば背面筐体５の巾一杯に横長である必要も無く、使い易さを配慮して形状と係止方法を変更するなど前記実施例に限定されるものではなく、適宜選定すればよい。
【図面の簡単な説明】
【００２９】
【図１】本発明における一実施例を示すコード結束用フックに狭持されたコード類をカバー部材で覆う前の構成を示す斜視説明図である。
【図２】本発明における液晶型テレビの正面斜視説明図である。
【図３】本発明における前記液晶型テレビの背面説明図である。
【図４】本発明の一実施例における背面筐体の段差凹部とコード結束用フックを示す斜視説明図である。
【図５】本発明の一実施例における背面筐体の段差凹部を覆うカバー部材を示す斜視説明図である。
【図６】従来のパーソナルコンピュータに使用される液晶表示モニター背面においてコード類を狭持して収納する構造を示す説明図である。
【図７】従来の電子機器においてコード類を巻きつけて収納する構造を示す説明図である。
【符号の説明】
【００３０】
１          液晶型テレビ
２          液晶表示部
３          スタンド
４          筐体
５          背面筐体
６          カバー部材
７          入出力端子類
８          電源コードなどコード類
１１        段差凹部
１２        段差面
２０        逆Ｌ字型突起
２１        コード結束用フック
【図１】
2006066736.tif 000003
【図２】
2006066736.tif 000004
【図３】
2006066736.tif 000005
【図４】
2006066736.tif 000006
【図５】
2006066736.tif 000007
【図６】
2006066736.tif 000008
【図７】
2006066736.tif 000009